(57)【特許請求の範囲】
【請求項１】
靴の内部に装着する靴用部材であって、
前記靴の中敷または中底に靴用部材を着脱自在に装着する着脱パッドと、
前記着脱パッドの上面に突設され、足の母指と第二指との間に挟まれる指間挟着片と、
前記指間挟着片の足の甲側に伸びるように連接され、前記靴に着脱自在に装着される可動片とを有し、
前記可動片は、前記指間挟着片側の装着部を有しない部分と、先端側の装着部とを有することを特徴とする靴用部材。
【請求項２】
さらに、前記着脱パッドを装着する中敷を有することを特徴とする請求項１に記載の靴用部材。
【請求項３】
前記中敷の下面に、該中敷の後端から中心軸までの距離Ｄ（ｍｍ）が下記（Ａ）式を満足する靴の中での足のスリップ止め兼衝撃緩和部材を有することを特徴とする請求項２に記載の靴用部材。
０．２×Ｌ≦Ｄ≦０．２５×Ｌ・・・（Ａ）
ここに、Ｌ：足の全長（ｍｍ）
Ｄ：中敷の後端からスリップ止めの中心軸までの距離（ｍｍ）
【請求項４】
請求項１乃至請求項３に記載の靴用部材を装着したことを特徴とする靴。
【発明の詳細な説明】
【技術分野】
【０００１】
本発明は、靴の内部に装着する靴用部材に関する。
【背景技術】
【０００２】
靴の内部に装着する靴用部材については、従来から種々の提案がなされている。
例えば、登録実用新案第３０６４１６５号公報には、中敷に広がり部分を有する柱状の突起が設けられたものが開示されており、また、登録実用新案第３０５７２３３号公報には、花緒を足の甲側に伸びるように構成したものが開示されている。
しかし、足の形や指の長さ、歩く際の体重移動にはそれぞれ個人差があるが、登録実用新案第３０６４１６５号公報や登録実用新案第３０５７２３３号公報に開示された従来技術においては柱状突起や花緒の位置が固定されているため、個人ごとの足の形や指の長さ、歩く際の体重移動に適合した、云わばオーダーメイドのような靴を提供することができないという問題点があった。
【特許文献１】登録実用新案第３０６４１６５号公報
【特許文献２】登録実用新案第３０５７２３３号公報
【発明の開示】
【発明が解決しようとする課題】
【０００３】
本発明は、前述のような従来技術の問題点を解決し、個人ごとの足の形や指の長さ、歩く際の体重移動に適合した、云わばオーダーメイドのような靴を提供することを課題とする。
【課題を解決するための手段】
【０００４】
本発明は前述の課題を解決するために鋭意検討の結果なされたものであり、その要旨とするところは特許請求の範囲に記載した通りの下記内容である。
（１）靴の内部に装着する靴用部材であって、
前記靴の中敷または中底に靴用部材を着脱自在に装着する着脱パッドと、
前記着脱パッドの上面に突設され、足の母指と第二指との間に挟まれる指間挟着片と、
前記指間挟着片の足の甲側に伸びるように連接され、前記靴に着脱自在に装着される可動片とを有し、
前記可動片は、前記指間挟着片側の装着部を有しない部分と、先端側の装着部とを有することを特徴とする靴用部材。
（２）さらに、前記着脱パッドを装着する中敷を有することを特徴とする（１）に記載の靴用部材。
（３）前記中敷の下面に、該中敷の後端から中心軸までの距離Ｄ（ｍｍ）が下記（Ａ）式を満足する靴の中での足のスリップ止め兼衝撃緩和部材を有することを特徴とする（２）に記載の靴用部材。
０．２×Ｌ≦Ｄ≦０．２５×Ｌ・・・（Ａ）
ここに、Ｌ：足の全長（ｍｍ）
Ｄ：中敷の後端からスリップ止めの中心軸までの距離（ｍｍ）
（４）（１）乃至（３）に記載の靴用部材を装着したことを特徴とする靴。
【発明の効果】
【０００５】
本発明によれば、個人ごと足の形や指の長さに合わせて指間挟着片の装着位置を調整することにより、個人ごとの足の形や指の長さに適合した、云わばオーダーメイドのような靴を提供することができるなど産業上有用な著しい効果を奏する。
【発明を実施するための最良の形態】
【０００６】
発明を実施するための最良の形態について図１および図２を用いて詳細に説明する。
図１および図２は、本発明の靴用部材の実施形態を例示する図であり、図１は斜視図、図２は断面図を示す。
図１および図２において、１は着脱パッド、２は指間挟着片、３は可動片、４、４´は装着部、５は中敷、６は靴の中での足のスリップ止め兼衝撃緩和部材、７は横アーチパッドを示す。
図１および図２は、本発明の靴の内部に装着する靴用部材を示しており、靴の中敷または中底に靴用部材を着脱自在に装着する着脱パッド１と、前記着脱パッド１の上面に突設され、足の母指と第二指との間に挟まれる指間挟着片２と、前記指間挟着片２の足の甲側に伸びるように連接され、前記靴の内面に着脱自在に装着する可動片３とを有することを特徴とする。
着脱パッド１は、靴用部材を靴の中敷または中底に着脱自在に装着することによって、指間挟着片２の取付け位置を自由に調整することができるので、個人ごとの足の形や指の長さ、体重移動に合わせて指間挟着片２を最適な位置に設けることができる。
【０００７】
本発明においては、着脱パッド１の着脱の方法は問わないが、例えば、両面テープ、のり、接着剤を用いてもよく、縫い付けてもよく、また、マジックテープ（登録商標）のように表面に細かい突起を設けてもよい。この細かい突起は、歩く際のクッションの役割も果たす。
また、足の母指と第二指との間に挟まれる指間挟着片２を設けることによって、靴内での足指の前後左右の安定が確保でき、足の踏ん張りを効かせることができる。
また、可動片３を前記指間挟着片２の足の甲側に伸びるように連接し、前記靴の内面に着脱自在に装着することによって、個人ごとの足の甲の形状に合わせて前記指間挟着片２および可動片３を足に適合するような所望の締め具合に調節することができる。
この可動片３の着脱は、靴をはくときに毎回行うので、マジックテープ（登録商標）のように表面に細かい突起を設けることが好ましい。
なお、本発明の靴用部材を、中敷を設けないで直接に靴の中底に装着してもよいが、図１および図２に示すように、前記着脱パッドを装着する中敷を設けることが好ましい。
この際、中敷５の下面に、該中敷５の後端から中心軸までの距離Ｄ（ｍｍ）が下記（Ａ）式を満足する靴の中での足のスリップ止め兼衝撃緩和部材６を設けることにより、個人ごとの体重移動に合わせて、ヒール部分のスリップを防止することができる。靴はヒール部分が高くなっているため歩行時に足が前後にスライドするので、かかとをしっかり落ち着かせることによってこのスライドを防止することができ、また、着地時の衝撃を緩和することもできる。
０．２×Ｌ≦Ｄ≦０．２５×Ｌ・・・（Ａ）
ここに、Ｌ：足の全長（ｍｍ）
Ｄ：中敷の後端からスリップ止めの中心軸までの距離（ｍｍ）
【０００８】
上記（Ａ）式を満足する範囲で靴の中での足のスリップ止め兼衝撃緩和部材６を設置すればよいが、具体的なＤの算定方法としては、発明者らの経験から、例えば、下記（Ｂ）式を用い、また、靴の中での足のスリップ止め兼衝撃緩和部材６の幅は５ｍｍとし、材質は、ラテックススポンジやシリコンなど、体重かかかってもへたらない材料が好ましい。
Ｄ＝０．２２×Ｌ＋５（ｍｍ）・・・・（Ｂ）
ここに、Ｌ：足の全長（ｍｍ）
Ｄ：中敷の後端からスリップ止めの中心軸までの距離（ｍｍ）
また、図１および図２に示す実施形態においては、着脱パッド１の中央付近に横アーチパッド７が設けられており、歩く際にこの横アーチパッド７がクッションの役割を果たすうえ、足の裏を刺激して血行を促進させることができる。
なお、本発明を適用する靴は特に限定されず、市販のスポーツ靴や学生靴などにも適用でき、本発明の靴用部材を後から装着することにより、個人ごと足の形や指の長さに合わせて指間挟着片の装着位置を調整することができ、個人ごとの足の形や指の長さに適合した、云わばオーダーメイドのような靴を提供することができる。
【図面の簡単な説明】
【０００９】
【図１】本発明の靴用部材の実施形態を例示する斜視図である。
【図２】本発明の靴用部材の実施形態を例示する断面図である。
【符号の説明】
【００１０】
１  着脱パッド
２  指間挟着片
３  可動片
４、４´  装着部
５  中敷
６  靴の中での足のスリップ止め兼衝撃緩和部材
７  横アーチパッド
【要約】
【課題】個人ごとの足の形や指の長さ、歩く際の体重移動に適合した、云わばオーダーメイドのような靴を提供する。
【課題を解決するための手段】靴の内部に装着する靴用部材であって、前記靴の中敷または中底に靴用部材を着脱自在に装着する着脱パッドと、前記着脱パッドの上面に突設され、足の母指と第二指との間に挟まれる指間挟着片と、
前記指間挟着片の足の甲側に伸びるように連接され、前記靴の内面に着脱自在に装着する可動片とを有することを特徴とする靴用部材およびそれを装着した靴。
【選択図】図１
【図１】
0003553928.tif 000002
【図２】
0003553928.tif 000003